(57)【要約】【課題】回路構成を簡素化させることができると共に、音声信号を平衡（バランス）出力する可変指向性エレクトレットコンデンサマイクロホンを提供すること。【解決手段】第１、第２固定極１ｆ，１ｂが互いに非導通状態で背中合わせに対向配置され、前記第１、第２固定極にそれぞれ一定の間隔をおいて第１、第２振動板２ｆ，２ｂが対向して配置された電気的に独立した第１、第２エレクトレットコンデンサマイクロホンユニットＵｆ，Ｕｂと、前記第１固定極に入力端子が接続された第１インピーダンス変換器Ｆ１並びに第１インピーダンス変換器に接続された第１バッファ回路Ｅ１と、前記第２固定極に入力端子が接続された第２インピーダンス変換器Ｆ２並びに第２インピーダンス変換器に選択的に接続される第２バッファ回路Ｅ２と、第１ないし第３指向性モードを択一的に選択可能な指向性可変スイッチＳＷ１，ＳＷ２とが備えられる。【選択図】図１
2015222889.tif 000002
【特許請求の範囲】
【請求項１】
第１、第２固定極が互いに非導通状態で背中合わせに対向配置され、前記第１、第２固定極にそれぞれ一定の間隔をおいて第１、第２振動板が前記第１、第２固定極に対向して配置された電気的に独立した第１、第２エレクトレットコンデンサマイクロホンユニットと、
前記第１固定極に入力端子が接続された第１インピーダンス変換器並びに第１インピーダンス変換器に接続された第１バッファ回路と、
前記第２固定極に入力端子が接続された第２インピーダンス変換器並びに第２インピーダンス変換器に選択的に接続される第２バッファ回路と、
少なくとも第１指向性モードから第３指向性モードを択一的に選択可能な指向性可変スイッチとが備えられ、
前記指向性可変スイッチにより第１指向性モードを選択したとき、前記第２インピーダンス変換器の出力端子に前記第２バッファ回路が接続され、
前記指向性可変スイッチにより第２指向性モードを選択したとき、前記第２バッファ回路の入力端子が接地され、
前記指向性可変スイッチにより第３指向性モードを選択したとき、前記第２インピーダンス変換器の出力端子に前記第１振動板が接続されると共に、前記第２バッファ回路の入力端子が接地され、
前記第２振動板は常時接地されて、前記第１、第２バッファ回路の出力端子より音声信号の平衡出力が導出されることを特徴とする可変指向性エレクトレットコンデンサマイクロホン。
【請求項２】
第１、第２固定極が互いに非導通状態で背中合わせに対向配置され、前記第１、第２固定極にそれぞれ一定の間隔をおいて第１、第２振動板が前記第１、第２固定極に対向して配置された電気的に独立した第１、第２エレクトレットコンデンサマイクロホンユニットと、
前記第１振動板に入力端子が接続された第１インピーダンス変換器並びに第１インピーダンス変換器に接続された第１バッファ回路と、
前記第２振動板に入力端子が接続された第２インピーダンス変換器並びに第２インピーダンス変換器に選択的に接続される第２バッファ回路と、
少なくとも第１指向性モードから第３指向性モードを択一的に選択可能な指向性可変スイッチとが備えられ、
前記指向性可変スイッチにより第１指向性モードを選択したとき、前記第２インピーダンス変換器の出力端子に前記第２バッファ回路が接続され、
前記指向性可変スイッチにより第２指向性モードを選択したとき、前記第２バッファ回路の入力端子が接地され、
前記指向性可変スイッチにより第３指向性モードを選択したとき、前記第２インピーダンス変換器の出力端子に前記第１固定極が接続されると共に、前記第２バッファ回路の入力端子が接地され、
前記第２固定極は常時接地されて、前記第１、第２バッファ回路の出力端子より音声信号の平衡出力が導出されることを特徴とする可変指向性エレクトレットコンデンサマイクロホン。
【請求項３】
前記指向性可変スイッチが、２連動型の３接点切替えスイッチにより構成されていることを特徴とする請求項１または請求項２に記載された可変指向性エレクトレットコンデンサマイクロホン。
【請求項４】
前記第１、第２バッファ回路の出力端子よりそれぞれ導出される平衡出力の音声信号を、ミキサーにより混合して出力することを特徴とする請求項１または請求項２に記載された可変指向性エレクトレットコンデンサマイクロホン。
【請求項５】
前記第１、第２バッファ回路の出力端子より前記可変指向性エレクトレットコンデンサマイクロホン用のファントム電源が供給されることを特徴とする請求項１または請求項２に記載された可変指向性エレクトレットコンデンサマイクロホン。
【発明の詳細な説明】
【技術分野】
【０００１】
この発明は、２つのマイクロホンユニットを背中合わせに備えることで、可変指向性の機能を備えたコンデンサマイクロホンに関し、特にコンデンサマイクロホンユニットにエレクトレットを用いると共に、音声信号を平衡（バランス）出力する可変指向性エレクトレットコンデンサマイクロホンに関する。
【背景技術】
【０００２】
指向性を可変できるマイクロホンとして、それぞれにカージオイド特性を有するマイクロホンユニットを、前後に背中合わせに配置したものが提案されている。
一般的にコンデンサマイクロホンは、ダイナミックマイクロホンに比較して広帯域の集音に適しており、かつ指向周波数応答に優れている。
このようなコンデンサマイクロホンの特質を活かし、各コンデンサマイクロホンユニットに加える成極電圧を加減することによって可変指向性を実現させたものが、非特許文献１に開示されている。
【０００３】
一方、本件出願人は前記非特許文献１に開示されたコンデンサマイクロホンにおける技術的な課題を解消した可変指向性コンデンサマイクロホンについて、先に特許出願をしており、これは特許文献１に開示されている。
この特許文献１に開示されたコンデンサマイクロホンによれば、非特許文献１に開示されたコンデンサマイクロホンのように、前後の振動板を交流結合することにより生ずる出力感度の低下、Ｓ／Ｎの劣化を防止することができる。
【０００４】
前記した非特許文献１および特許文献１に開示された成極電圧を必要とする２つのコンデンサマイクロホンユニットを用いる場合においては、インピーダンス変換器等の回路を動作させる５〜２０Ｖ程度の直流電源を利用して、６０Ｖ以上の成極電圧をＤＣ−ＤＣコンバータ等により得るように構成する必要がある。
これによれば、コンデンサマイクロホンユニットに前記したＤＣ−ＤＣコンバータ等の付帯的な構成も備える必要があり、コストが上昇することは免れない。
【０００５】
そこで本件出願人は、２つのコンデンサマイクロホンユニットにエレクトレット誘電体膜を用いた可変指向性コンデンサマイクロホンについても特許出願をしており、これは特許文献２に開示されている。
この特許文献２に開示された可変指向性コンデンサマイクロホンによれば、２つのコンデンサマイクロホンユニットの出力を、可変容量コンデンサ（バリコン）によって結合することで、連続的に指向性を変化させることができるマイクロホンを実現させることができる。
【先行技術文献】
【非特許文献】
【０００６】
【非特許文献１】Ｍｉｃｈａｅｌ  Ｇａｙｆｏｒｄ著「Ｃｏｎｄｅｎｓｅｒ  ｍｉｃｒｏｐｈｏｎｅ  ｗｉｔｈ  ｖａｒｉａｂｌｅ  ｐｏｌａｒ  ｒｅｓｐｏｎｓｅ」  Ｍｉｃｒｏｐｈｏｎｅ  Ｅｎｇｉｎｅｅｒｉｎｇ  Ｈａｎｄｂｏｏｋ（ｐ３２，Ｆｉｇｕｒｅ１．１８）
【特許文献】
【０００７】
【特許文献１】特開２０１２−６５１４７号公報
【特許文献２】特開２００８−１１８２６０号公報
【発明の概要】
【発明が解決しようとする課題】
【０００８】
ところで前記した特許文献１には、成極電圧を不要とするエレクトレットコンデンサマイクロホンユニットを用いた可変指向性コンデンサマイクロホンの例についても開示されている。この特許文献１に開示されたエレクトレットコンデンサマイクロホンユニットを用いた例によると、利得が“１”で入出力の位相が反転する位相反転増幅器を備え、利得が“１”で入出力の位相が非反転の非反転増幅器の出力も利用して、これらの出力を選択する位相調整手段が採用されている。したがって前記した位相調整手段を備えることは、その回路構成を複雑にする問題を抱えているため、改良の余地がある。
【０００９】
また、前記した特許文献２に開示された可変指向性コンデンサマイクロホンによると、２つのエレクトレットコンデンサマイクロホンユニットの出力を、可変容量コンデンサ（バリコン）によって結合する構成が採用されているため、外部振動が可変容量コンデンサに加わった場合に静電容量が変化し、これが雑音発生の要因となる。
したがって前記した可変容量コンデンサに作用する外部振動の対策が必要となり、この点で改良の余地がある。
【００１０】
一方、この種のマイクロホンにおいては、ホールやイベント会場等において用いる場合のように、相当の長さのマイクコードを必要とする場合、もしくはスタジオ等で楽音をより忠実に、かつ高いＳ／Ｎをもって集音するプロユーズとして利用する場合においては、マイクコードとして平衡シールドケーブルが用いられる。
【００１１】
したがって、これに用いられるマイクロホンの音声出力は、平衡（バランス）出力方式を採用しており、マイクロホンからの音声信号は前記した平衡シールドケーブルを介して、ミキサー等に対して送り出される。そして前記ミキサー側においては、差動増幅器あるいはマイクロホントランスを利用して音声信号を抽出することで、コモンモードノイズを低減させた音声信号を得ることができる。
【００１２】
したがってこの発明は、２つのマイクロホンユニットを前後に背中合わせ状態に配置して指向性を可変するエレクトレットコンデンサマイクロホンの前記した問題点を解消すると共に、音声信号を平衡（バランス）出力する可変指向性エレクトレットコンデンサマイクロホンを提供することを課題とするものである。
【課題を解決するための手段】
【００１３】
前記した課題を解決するためになされたこの発明に係る可変指向性エレクトレットコンデンサマイクロホンの一つの好ましい形態は、第１、第２固定極が互いに非導通状態で背中合わせに対向配置され、前記第１、第２固定極にそれぞれ一定の間隔をおいて第１、第２振動板が前記第１、第２固定極に対向して配置された電気的に独立した第１、第２エレクトレットコンデンサマイクロホンユニットと、前記第１固定極に入力端子が接続された第１インピーダンス変換器並びに第１インピーダンス変換器に接続された第１バッファ回路と、前記第２固定極に入力端子が接続された第２インピーダンス変換器並びに第２インピーダンス変換器に選択的に接続される第２バッファ回路と、少なくとも第１指向性モードから第３指向性モードを択一的に選択可能な指向性可変スイッチとが備えられ、前記指向性可変スイッチにより第１指向性モードを選択したとき、前記第２インピーダンス変換器の出力端子に前記第２バッファ回路が接続され、前記指向性可変スイッチにより第２指向性モードを選択したとき、前記第２バッファ回路の入力端子が接地され、前記指向性可変スイッチにより第３指向性モードを選択したとき、前記第２インピーダンス変換器の出力端子に前記第１振動板が接続されると共に、前記第２バッファ回路の入力端子が接地され、前記第２振動板は常時接地されて、前記第１、第２バッファ回路の出力端子より音声信号の平衡出力が導出されることを特徴とする。
【００１４】
また，前記した課題を解決するためになされたこの発明に係る可変指向性エレクトレットコンデンサマイクロホンは他の一つの好ましい形態は、第１、第２固定極が互いに非導通状態で背中合わせに対向配置され、前記第１、第２固定極にそれぞれ一定の間隔をおいて第１、第２振動板が前記第１、第２固定極に対向して配置された電気的に独立した第１、第２エレクトレットコンデンサマイクロホンユニットと、前記第１振動板に入力端子が接続された第１インピーダンス変換器並びに第１インピーダンス変換器に接続された第１バッファ回路と、前記第２振動板に入力端子が接続された第２インピーダンス変換器並びに第２インピーダンス変換器に選択的に接続される第２バッファ回路と、少なくとも第１指向性モードから第３指向性モードを択一的に選択可能な指向性可変スイッチとが備えられ、前記指向性可変スイッチにより第１指向性モードを選択したとき、前記第２インピーダンス変換器の出力端子に前記第２バッファ回路が接続され、前記指向性可変スイッチにより第２指向性モードを選択したとき、前記第２バッファ回路の入力端子が接地され、前記指向性可変スイッチにより第３指向性モードを選択したとき、前記第２インピーダンス変換器の出力端子に前記第１固定極が接続されると共に、前記第２バッファ回路の入力端子が接地され、前記第２固定極は常時接地されて、前記第１、第２バッファ回路の出力端子より音声信号の平衡出力が導出されることを特徴とする。
【００１５】
この場合、前記いずれの形態においても、前記指向性可変スイッチとして、２連動型の３接点切替えスイッチを好適に利用することができる。
また、前記第１、第２バッファ回路の出力端子よりそれぞれ導出される平衡出力の音声信号を、ミキサーにより混合して出力する構成が採用される。
さらに、前記第１、第２バッファ回路の出力端子より前記可変指向性エレクトレットコンデンサマイクロホン用のファントム電源が供給される構成も好適に採用することができる。
【発明の効果】
【００１６】
この発明に係る前記した可変指向性エレクトレットコンデンサマイクロホンによると、第１と第２エレクトレットコンデンサマイクロホンユニットに加えて、第１と第２のインピーダンス変換器、第１と第２のバッファ回路および指向性可変スイッチとしての切替スイッチとが備えられる。これにより、音声信号の平衡出力を実現した可変指向性エレクトレットコンデンサマイクロホンを提供することができる。
したがって、この発明に係る可変指向性エレクトレットコンデンサマイクロホンによると、先に説明した特許文献１に開示された例に比較して、位相反転増幅器などの特別な回路構成を備える必要はなく、回路構成を簡素化させることができる。
【００１７】
また、この発明に係る可変指向性エレクトレットコンデンサマイクロホンによると、先に説明した特許文献２に開示された例に比較して、可変容量コンデンサ（バリコン）を採用することによって生ずる振動による雑音発生の問題を解消することができ、かつ回路構成を簡素化させることにも寄与できる。
【図面の簡単な説明】
【００１８】
【図１】この発明に係る可変指向性エレクトレットコンデンサマイクロホンの第１の実施の形態を示す回路結線図である。
【図２】図１に示す構成において第１指向性モードを選択したときの等価回路図である。
【図３】同じく第２指向性モードを選択したときの等価回路図である。
【図４】同じく第３指向性モードを選択したときの等価回路図である。
【図５】この発明に係る可変指向性エレクトレットコンデンサマイクロホンの第２の実施の形態の主要部を示す回路結線図である。
【図６】図５に示す構成において第１指向性モードを選択したときの等価回路図である。
【図７】同じく第２指向性モードを選択したときの等価回路図である。
【図８】同じく第３指向性モードを選択したときの等価回路図である。
【発明を実施するための形態】
【００１９】
この発明に係る可変指向性エレクトレットコンデンサマイクロホンについて、図に示す実施の形態に基づいて説明する。
図１は、この発明に係る可変指向性エレクトレットコンデンサマイクロホンＭ１に、平衡シールドケーブルＣａを介してミキサーＭ２が接続された状態を示しており、可変指向性エレクトレットコンデンサマイクロホンＭ１は、ミキサーＭ２側のファントム電源装置より駆動電流を受けるように構成されている。
【００２０】
まず、符号Ｍ１で示す可変指向性エレクトレットコンデンサマイクロホンは、電気的に独立した二つのエレクトレットコンデンサマイクロホンユニットを前後に備えて構成されている。
なお、この二つのエレクトレットコンデンサマイクロホンユニットは、矢印０ｄｅｇで示す集音軸側を前側ユニットＵｆと称呼し、反対側を後側ユニットＵｂと称呼する。
【００２１】
この前側ユニットＵｆと後側ユニットＵｂを構成する第１と第２の固定極１ｆ，１ｂは互いに非導通状態で背中合わせに配置され、前記第１と第２の固定極１ｆ，１ｂにそれぞれ一定の間隔をおいて第１と第２の振動板２ｆ，２ｂが対向して配置されている。
なお、この実施の形態においては、前記第１と第２の固定極１ｆ，１ｂにおける各振動板２ｆ，２ｂに対峙する面には、それぞれエレクトレット誘電体膜３ｆ，３ｂが備えられて、それぞれバックエレクトレット方式によるエレクトレットコンデンサマイクロホンユニットを構成している。
【００２２】
図１に示すＦ１，Ｆ２は第１と第２のインピーダンス変換器であり、これらは、共に同一の回路構成により形成されている。すなわち第１と第２のインピーダンス変換器Ｆ１，Ｆ２には、バイアス回路内蔵型のＦＥＴＱ１，Ｑ２がそれぞれ具備されている。
前記ＦＥＴＱ１のゲートとソースとの間には、逆並列にダイオードＤ１，Ｄ２および抵抗Ｒ１が接続されており、これらはＦＥＴＱ１のゲートバイアスを生成する機能を果たす。また同じくＦＥＴＱ２のゲートとソースとの間には、逆並列にダイオードＤ３，Ｄ４および抵抗Ｒ２が接続されており、これらはＦＥＴＱ２のゲートバイアスを生成する機能を果たす。
【００２３】
そして、各ＦＥＴＱ１，Ｑ２の各ドレインには後述する定電圧回路より直流動作電圧が供給され、また各ソースにはソース抵抗Ｒ３，Ｒ４がそれぞれ接続されてソースフォロア回路を構成している。
またソースフォロア回路を構成する前記第１と第２のインピーダンス変換器Ｆ１，Ｆ２には、コンデンサＣ１，Ｃ２がそれぞれ接続され、インピーダンス変換された前記前側ユニットＵｆと後側ユニットＵｂによる信号が、前記各コンデンサＣ１，Ｃ２をそれぞれ介して引き出される。
【００２４】
前記第１のインピーダンス変換器Ｆ１によるコンデンサＣ１を介した信号は、トランジスタＱ３を含む第１バッファ回路としてのエミッタフォロア回路Ｅ１に供給される。また、前記第２のインピーダンス変換器Ｆ２によるコンデンサＣ２を介した信号は、後述する指向性可変スイッチを介して、選択的にトランジスタＱ４を含む第２バッファ回路としてのエミッタフォロア回路Ｅ２に供給される。
【００２５】
前記第１のエミッタフォロア回路Ｅ１は、バイアス設定抵抗Ｒ５，Ｒ６を備え、端子ピンＰ２を介したミキサーＭ２側を負荷抵抗（エミッタ抵抗）として構成されており、このエミッタフォロアの出力は、端子ピンＰ２にホット側出力として供給される。
同様に第２のエミッタフォロア回路Ｅ２は、バイアス設定抵抗Ｒ７，Ｒ８を備え、端子ピンＰ３を介したミキサーＭ２側を負荷抵抗（エミッタ抵抗）として構成されており、このエミッタフォロアの出力は、端子ピンＰ３にコールド側出力として供給される。
そして、第１バッファ回路Ｅ１と、第２バッファ回路Ｅ２による信号出力は、端子ピンＰ１を接地ラインとした平衡シールドケーブルＣａを介して、前記したミキサーＭ２に平衡出力される。
【００２６】
一方、前記端子ピンＰ２およびＰ３には、端子ピンＰ１を接地ラインとして、前記ミキサーＭ２側からファントム電源が供給される。
そして、トランジスタＱ３，Ｑ４のコレクタが共通接続されて定電流素子Ｉｃに接続されており、この定電流素子Ｉｃと端子ピンＰ１の接地ラインとの間に、定電圧素子Ｚ１と電解コンデンサＣ３による定電圧回路が形成されている。
【００２７】
したがって、この定電圧回路により生成される前記ファントム電源による定電圧は、前記した第１と第２のインピーダンス変換器Ｆ１，Ｆ２を構成する各ＦＥＴＱ１，Ｑ２のドレインに供給される。
なお、この実施の形態においては、前記定電流素子Ｉｃと定電圧素子Ｚ１の直列回路を跨ぐようにして、交流結合バイパス用の電解コンデンサＣ４が接続されている。
【００２８】
図１に示す符号ＳＷ１，ＳＷ２は、２連動型の３接点切替えスイッチであり、これは第１指向性モードから第３指向性モードを、択一的に選択する指向性可変スイッチとして機能する。
そして、スイッチＳＷ１，ＳＷ２が符号ＢＩで示すポジションを選択した場合には、双指向性（Ｂｉｄｉｒｅｃｔｉｏｎａｌ特性）に設定され、またスイッチＳＷ１，ＳＷ２が符号Ｃで示すポジションを選択した場合には、単一指向性（Ｃａｒｄｉｏｉｄ特性）に設定される。さらにスイッチＳＷ１，ＳＷ２が符号Ｏで示すポジションを選択した場合には、無指向性（Ｏｍｎｉｄｉｒｅｃｔｉｏｎａｌ特性）に設定される。
これらの選択に基づく指向性の切替え作用は、図２〜図４に基づいて後で説明する。
【００２９】
指向性可変スイッチとして機能する前記第１スイッチＳＷ１の可動接点には、前側ユニットＵｆを構成する第１振動板２ｆが接続されている。また、第２スイッチＳＷ２の可動接点は、第２のエミッタフォロア回路Ｅ２を構成するトランジスタＱ４のベースに接続されている。
【００３０】
また、第１スイッチＳＷ１の固定接点ＢＩおよびＣは、端子ピンＰ１の接地ラインに接続され、第２スイッチＳＷ２の固定接点ＣおよびＯも、端子ピンＰ１の接地ラインに接続されている。さらに、第１スイッチＳＷ１の固定接点Ｏと、第２スイッチＳＷ２の固定接点ＢＩは共通接続され、この共通接続点に第２インピーダンス変換器Ｆ２からのコンデンサＣ２が接続されている。
すなわち、後側ユニットＵｂからの信号は、第１スイッチＳＷ１の固定接点Ｏと、第２スイッチＳＷ２の固定接点ＢＩとの接続点に加わるように構成されている。
【００３１】
前記した可変指向性エレクトレットコンデンサマイクロホンＭ１は、すでに説明したとおり、端子ピンＰ１〜Ｐ３を介して平衡シールドケーブルＣａによって、ミキサーＭ２側に接続されている。
このミキサーＭ２には、オペレーショナルアンプによる減算回路ＯＰ１が搭載されており、端子ピンＰ２からの信号はコンデンサＣ１１を介して減算回路ＯＰ１の非反転入力端子に供給され、端子ピンＰ３からの信号はコンデンサＣ１２を介して減算回路ＯＰ１の反転入力端子に供給される。この構成により端子ピンＰ２とＰ３からの平衡出力の音声信号がミキサーＭ２により混合され、減算回路ＯＰ１による減算出力が、前記マイクロホンＭ１による音声信号として、出力端子ＯＵＴにもたらされる。
【００３２】
なお、ミキサーＭ２側には、ファントム電源として機能する例えば４８Ｖの直流電源Ｅ０が備えられ、この直流電源Ｅ０はそれぞれ６．８ＫΩの抵抗Ｒ１１，Ｒ１２を介して前記した端子ピンＰ２，Ｐ３に送られる。
【００３３】
図２〜図４は、前記した図１に示す可変指向性エレクトレットコンデンサマイクロホンＭ１の構成において、指向性可変スイッチとしての第１と第２のスイッチＳＷ１，ＳＷ２を、双指向性ＢＩ、単一指向性Ｃ、無指向性Ｏにそれぞれ選択した場合の等価回路図を示している。また、この等価回路図に加えて、前側ユニットＵｆと後側ユニットＵｂによって得られるポーラパターンの加減算の様子を示している。
【００３４】
すなわち、指向性可変スイッチが第１指向性モードであるＢＩを選択した場合には、図２に示したように前記第２インピーダンス変換器Ｆ２の出力端子に前記第２バッファ回路Ｅ２の入力端子が接続される。
これにより、第２端子ピンＰ２と第３端子ピンＰ３には、図２に示したポーラパターンの信号がそれぞれ供給され、これらは前記ミキサーＭ２の減算回路ＯＰ１において減算されるため、結果として双指向性を有する音声信号を得ることができる。
【００３５】
次に、指向性可変スイッチが第２指向性モードである単一指向性Ｃを選択した場合には、図３に示したように前記第２バッファ回路Ｅ２の入力端子は接地される。
これにより、第２端子ピンＰ２には図に示したポーラパターンの信号が供給されるのに対して、第３端子ピンＰ３は無信号となる。この結果、前記ミキサーＭ２の減算回路ＯＰ１による減算出力として、単一指向性を有する音声信号がもたらされる。
【００３６】
また、指向性可変スイッチが第３指向性モードである無指向性Ｏを選択した場合には、図４に示したように前記第２インピーダンス変換器Ｆ２の出力端子に前記第１振動板２ｆが接続されると共に、前記第２バッファ回路Ｅ２の入力端子は接地される。
これにより、後側ユニットＵｂによる第２インピーダンス変換器Ｆ２からの信号が、前側ユニットＵｆの第１振動板２ｆに加わることになり、後側ユニットＵｂによるポーラパターンと、前側ユニットＵｆによるポーラパターンが加算されて、第２端子ピンＰ２には図に示したように無指向性のポーラパターンを有する信号が供給される。
【００３７】
一方、前記第２バッファ回路Ｅ２の入力端子は接地されるために第３端子ピンＰ３は無信号となる。この結果、前記ミキサーＭ２の減算回路ＯＰ１による減算出力として、図４に示す無指向性の音声信号がもたらされることになる。
【００３８】
図５は、この発明に係る可変指向性エレクトレットコンデンサマイクロホンの第２の実施の形態を示したものであり、この図５はすでに図１に基づいて説明した可変指向性エレクトレットコンデンサマイクロホンＭ１に代わる主要部のみを示している。
この図５に示す例においては、すでに説明した図１に示す例に対して、前側ユニットＵｆにおける第１固定極１ｆと、第１振動板２ｆが相互に入れ替わって接続され、また後側ユニットＵｂにおける第２固定極１ｂと、第２振動板２ｂも相互に入れ替わって接続されている。
【００３９】
すなわち、前側ユニットＵｆを構成する第１振動板２ｆが、第１インピーダンス変換器Ｆ１の入力端子に接続されると共に、第１固定極１ｆは第１スイッチＳＷ１の可動接点に接続されている。また、後側ユニットＵｂを構成する第２振動板２ｂは、第２インピーダンス変換器Ｆ２の入力端子に接続されると共に、第２固定極１ｂは端子ピンＰ１による接地ラインに接続されている。そして、その他の構成については、図１に示した構成と同一である。
この図５に示す構成によると、矢印０ｄｅｇで示す集音軸が後側ユニットＵｂの正面側になされる点で、図１に示す可変指向性エレクトレットコンデンサマイクロホンと異なることになる。
【００４０】
図６〜図８は、図５に示す第２の実施の形態において指向性可変スイッチとしての第１と第２のスイッチＳＷ１，ＳＷ２を、双指向性ＢＩ、単一指向性Ｃ、無指向性Ｏにそれぞれ選択した場合の等価回路図を示している。またこの等価回路図に加えて、前側ユニットＵｆと後側ユニットＵｂによって得られるポーラパターンの加減算の様子を示している。
すなわち図６〜図８は、すでに説明した図２〜図４に示す第１の実施の形態における等価回路図に対応するものである。
【００４１】
図５に示す第２の実施の形態において、指向性可変スイッチが第１指向性モードであるＢＩを選択した場合には、図６に示したように前記第２インピーダンス変換器Ｆ２の出力端子に前記第２バッファ回路Ｅ２の入力端子が接続される。
これにより、第２端子ピンＰ２と第３端子ピンＰ３には、図６に示したポーラパターンの信号がそれぞれ供給され、これらは前記ミキサーＭ２の減算回路ＯＰ１において減算されるため、結果として双指向性を有する音声信号を得ることができる。
【００４２】
次に、指向性可変スイッチが第２指向性モードである単一指向性Ｃを選択した場合には、図７に示したように前記第２バッファ回路Ｅ２の入力端子は接地される。
これにより、第２端子ピンＰ２には図に示したポーラパターンの信号が供給されるのに対して、第３端子ピンＰ３は無信号となる。この結果、前記ミキサーＭ２の減算回路ＯＰ１による減算出力として、単一指向性を有する音声信号がもたらされる。
【００４３】
また、指向性可変スイッチが第３指向性モードである無指向性Ｏを選択した場合には、図８に示したように前記第２インピーダンス変換器Ｆ２の出力端子に前記第１固定極１ｆが接続されると共に、前記第２バッファ回路Ｅ２の入力端子は接地される。
これにより、後側ユニットＵｂによる第２インピーダンス変換器Ｆ２からの信号が、前側ユニットＵｆの第１固定極１ｆに加わることになり、後側ユニットＵｂによるポーラパターンと、前側ユニットＵｆによるポーラパターンが加算されて、第２端子ピンＰ２には図に示したように無指向性のポーラパターンを有する信号が供給される。
【００４４】
一方、前記第２バッファ回路Ｅ２の入力端子は接地されるために、第３端子ピンＰ３は無信号となる。この結果、前記ミキサーＭ２の減算回路ＯＰ１による減算出力として、図８に示す無指向性の音声信号がもたらされることになる。
【符号の説明】
【００４５】
１ｆ    第１固定極
１ｂ    第２固定極
２ｆ    第１振動板
２ｂ    第２振動板
３ｆ    エレクトレット誘電体膜
３ｂ    エレクトレット誘電体膜
Ｕｆ    前側ユニット（第１エレクトレットコンデンサマイクロホンユニット）
Ｕｂ    後側ユニット（第２エレクトレットコンデンサマイクロホンユニット）
Ｆ１    第１インピーダンス変換器
Ｆ２    第２インピーダンス変換器
Ｅ１    第１バッファ回路（第１エミッタフォロア回路）
Ｅ２    第２バッファ回路（第２エミッタフォロア回路）
ＳＷ１  第１スイッチ（指向性可変スイッチ）
ＳＷ２  第２スイッチ（指向性可変スイッチ）
ＯＵＴ  音声信号出力端子
Ｐ１    第１端子ピン（接地ライン）
Ｐ２    第２端子ピン（ホット側端子）
Ｐ３    第３端子ピン（コールド側端子）
Ｍ１    可変指向性エレクトレットコンデンサマイクロホン
Ｍ２    ミキサー
ＯＰ１  減算回路（オペレーショナルアンプ）
Ｃａ    平衡シールドケーブル
【図１】
2015222889.tif 000003
【図２】
2015222889.tif 000004
【図３】
2015222889.tif 000005
【図４】
2015222889.tif 000006
【図５】
2015222889.tif 000007
【図６】
2015222889.tif 000008
【図７】
2015222889.tif 000009
【図８】
2015222889.tif 000010